(57)【要約】【課題】トップビューＬＥＤを用いて、発光斑が目立たない面発光を実現する面光源発光装置やそれを用いた遊技機用発光装置を提供する。【解決手段】  面光源発光装置(10)は、基台(11)上へ反射板(12)を介して配置した少なくとも一つ以上のトップビューＬＥＤ(20)と、そのトップビューＬＥＤ(20)の出射光の前方側に配置して前記出射光を拡散する庇部(31)を有する透光性のある光拡散用部材(30)と、その光拡散用部材(30)の外側に配置して前記拡散した光を透過して面発光する発光面(40)を有するトップカバー(40)と、を備える。【選択図】  図１
2015019824.tif 000002
【特許請求の範囲】
【請求項１】
発光する側の面を反射面とした反射板と、
その反射板における反射面の端部付近において反射面側へ発光部を位置させるとともに当該反射面に対して軸方向が垂直となるように配置固定された少なくとも一のトップビューＬＥＤと、
そのトップビューＬＥＤの出射光の前方側に配置して前記出射光を反射させて拡散する庇部を有する光拡散用部材と、
その光拡散用部材の外側に配置してトップビューＬＥＤの出射光の一部を内側面たる半反射面にて反射させるとともに前記の出射光の一部を透過させることで外側面たる発光面を面発光させるトップカバーと、を備え、
前記の庇部は、前記の反射面の端部側における出射光の方向へ立ち上がる内端面と、その内端面に対して鈍角をなすとともに前記のトップビューＬＥＤの上方を覆う庇第一反射面と、その庇第一反射面に対して鈍角をなす庇第二反射面とを備えるとともに、
当該庇部における前記の内端面とは反対側の端部および前記トップカバーの間に庇第三反射面を備えた面光源発光装置。
【請求項２】
前記の反射板における反射面と前記のトップカバーにおける半反射面との距離が所定長さよりも短い場合には、
面光源発光装置における平面形状の長手方向に垂直な断面が、トップビューＬＥＤに接する面である場合、その断面にはトップビューＬＥＤが一つしか存在しないようにトップビューＬＥＤを配置した請求項１に記載の面光源発光装置。
【請求項３】
発光する側の面を反射面とした反射板と、
その反射板における反射面の端部付近において反射面側へ発光部を位置させるとともに当該反射面に対して軸方向が垂直となるように配置固定された少なくとも一のトップビューＬＥＤと、
そのトップビューＬＥＤの出射光の前方側に配置して前記出射光を反射させて拡散する庇部を有する光拡散用部材と、
その光拡散用部材の外側に配置してトップビューＬＥＤの出射光の一部を内側面たる半反射面にて反射させるとともに前記の出射光の一部を透過させることで外側面たる発光面を面発光させるトップカバーと、を備えた面光源発光装置を採用した遊技機であって、
その面光源発光装置における前記の庇部は、前記の反射面の端部側における出射光の方向へ立ち上がる内端面と、その内端面に対して鈍角をなすとともに前記のトップビューＬＥＤの上方を覆う庇第一反射面と、その庇第一反射面に対して鈍角をなす庇第二反射面とを備えるとともに、
その庇部における前記の内端面とは反対側の端部および前記トップカバーの間に庇第三反射面を備えた遊技機。
【請求項４】
前記の面光源発光装置の反射板における反射面と前記のトップカバーにおける半反射面との距離が所定長さよりも短い場合には、
面光源発光装置における平面形状の長手方向に垂直な断面が、トップビューＬＥＤに接する面である場合、その断面にはトップビューＬＥＤが一つしか存在しないようにトップビューＬＥＤを配置した請求項１に記載の遊技機。
【発明の詳細な説明】
【技術分野】
【０００１】
本発明は、トップビュー型の発光ダイオード（ＬＥＤ）を面光源として用いることによって面発光を実現した面光源発光装置、およびその面光源発光装置を用いた遊技機用発光装置に関する。
【背景技術】
【０００２】
ＬＥＤは省電力で、輝度も十分になってきたが、指向性が強いために照射角度が狭いという点は依然として残っている。そのため、ＬＥＤを用いて、発光斑が目立たないほぼ均一な面発光を実現させるには、トップビュー型のＬＥＤと発光面との距離を比較的長く取り、ＬＥＤの数を増やすのが一般的であった。あわせて、ＬＥＤの光を反射板にて反射したり、光を導く導光板を用いたりする必要があった。
なお、サイドビューＬＥＤを採用すると、ＬＥＤと発光面との距離をやや短くすることができ、照明装置の小型化に寄与する。
【０００３】
例えば、特許文献１には、ＬＥＤの光を複数の導光板にて出射面へ導く面光源照明装置が開発されている。なお、複数の各導光板には前記出射面に対向する面に反射部材を備えている。
【０００４】
特許文献２には、操作系部品の意匠部を背面から照明するための照明装置が開発されている。ＬＥＤ等の光源から照射された光を光ガイド部（導光板）で案内し、前記意匠部を背面側から照明することによって前記意匠部を点灯させる。
【０００５】
ＬＥＤは、装飾用の光源としても使用される。  たとえば、特許文献３には、パチンコ機などの遊技機に発光態様として用いられている。  消費電力を抑えつつ、装飾効果も得られるからである。
【先行技術文献】
【特許文献】
【０００６】
【特許文献１】特開２００９−１２９５３９号公報
【特許文献２】特開２００８−１６３３２号公報
【特許文献３】特開２０１１−９２４９７号公報
【特許文献４】特許第４２８０２８３号公報
【発明の概要】
【発明が解決しようとする課題】
【０００７】
サイドビューＬＥＤを採用して「光量がほぼ均一な面発光」を実現させる場合、サイドビューＬＥＤはトップビューＬＥＤに比べて実現しやすい。しかし、製造されている種類が限られており、選択肢が少ないという問題がある。  一方、トップビューＬＥＤを用いて広い面積を均一に照らすのは難しい。
また、トップビューＬＥＤを用いた照明装置では、ＬＥＤと発光面との距離が長くなるので、特許文献４に記載されたような技術では小型化するのが困難である。  パチンコ機やスロットマシンなどの遊技機に採用する装飾用発光装置は、厚さ方向の寸法をできる限り抑えつつ、均一な発光装飾を得たいという要望が強い。
【０００８】
また、特許文献１および特許文献２のように、反射板や導光板を用いた照明装置では、複雑な構造となるために、材料費や組立費が嵩むことになる。
【０００９】
本発明が解決しようとする課題は、トップビューＬＥＤを用いて、光量がほぼ均一な面発光を実現する面光源発光装置およびそれを用いた遊技機用発光装置を提供することにある。
【課題を解決するための手段】
【００１０】
（第一の発明）
本願における第一の発明は、  発光する側の面を反射面(13)とした反射板(12)と、  その反射板(12)における反射面(13)の端部付近において反射面(13)側へ発光部を位置させるとともに当該反射面(13)に対して軸方向が垂直となるように配置固定された少なくとも一のトップビューＬＥＤ(20)と、  そのトップビューＬＥＤ(20)の出射光の前方側に配置して前記出射光を反射させて拡散する庇部(31)を有する光拡散用部材(30)と、  その光拡散用部材(30)の外側に配置してトップビューＬＥＤ(20)の出射光の一部を内側面たる半反射面(41A)にて反射させるとともに前記の出射光の一部を透過させることで外側面たる発光面(41)を面発光させるトップカバー(40)と、を備える。
前記の庇部(31)は、前記の反射面(13)の端部側における出射光の方向へ立ち上がる内端面(30A)と、その内端面(30A)に対して鈍角をなすとともに前記のトップビューＬＥＤ(20)の上方を覆う庇第一反射面(31A)と、その庇第一反射面(31A)に対して鈍角をなす庇第二反射面(31B)とを備えるとともに、  当該庇部(31)における前記の内端面(30A)とは反対側の端部および前記トップカバー(40)の間に庇第三反射面(31C)を備える。
【００１１】
（用語説明）
「光拡散用部材(30)」とは、その部材の厚さが薄い部位では透光性のある材質を使用している。主として庇部(31)によって拡散光を生じさせるが、部材厚さが変化することによっても拡散光を変化させることができる。例えば、光拡散用部材(30)の内部を透過する光が、光拡散用部材(30)の端面へ出射する角度によって全反射したり、あるいは屈折する角度が変化したりすることになる。
「半反射面(41A」」とは、一部の光を透過させ、一部の光を反射させる面のことを意味する。
【００１２】
内端面(30A)、庇第一反射面(31A)、および庇第二反射面(31B)は、それぞれを平面として形成してもよいし、隣り合う面との境を連続させることで湾曲面に形成してもよい。
内端面(30A)における立ち上がり寸法（図２における「H」）は、トップビューＬＥＤ(20)の出射光に伴う放熱が悪影響を及ぼさない寸法が最低限必要である。
【００１３】
（作用）
トップビューＬＥＤ(20)の出射光のほとんどは、前方側の光拡散用部材(30)における庇部(31)の庇第一反射面(31A)に対して反射する。その反射光は、反射板(12)の反射面(13)へ向かい、その反射面(13)にて反射されてトップカバー(40)の方向へ向かう。
トップカバー(40)を透過した光は、トップカバー(40)の発光面(41)を面発光させる。透過しなかった光は、半反射面(41A)において反射され、庇第三反射面(31C)や反射板(12)の反射面(13)に反射されてトップカバー(40)に向かう。そして、その一部は透過して発光面(41)を面発光させ、透過しなかった光は、半反射面(41A)において反射される。
【００１４】
トップビューＬＥＤ(20)の近傍における反射面(13)にて反射された光は、庇第一反射面(31A)や庇第二反射面(31B)にて反射され、一部が透過する。
こうした反射や透過が瞬時に繰り返され、トップカバー(40)の発光面(41)は、ほぼ均一に発光される。すなわち、発光斑が目立たないほぼ均一な面発光を実現できる。
【００１５】
（第一の発明のバリエーション１）
第一の発明は、以下のようなバリエーションを提供することもできる。
すなわち、前記の反射板(12)における反射面(13)と前記のトップカバー(40)における半反射面(41A)との距離(T)が所定長さよりも短い場合には、  面光源発光装置(10)における平面形状の長手方向に垂直な断面が、トップビューＬＥＤ(20)に接する面である場合、その断面にはトップビューＬＥＤ(20)が一つしか存在しないようにトップビューＬＥＤ(20)を配置した面光源発光装置(10)として形成する。
【００１６】
前記の反射板(12)における反射面(13)と前記のトップカバー(40)における半反射面(41A)との距離(T)が所定長さよりも短い場合、トップビューＬＥＤ(20)からの出射光が当該距離(T)の間を非常に多くの回数を反射する。そのため、一のトップビューＬＥＤ(20)からの平面距離が近い場所に、他のトップビューＬＥＤ(20)が存在しまうと、トップカバー(40)の発光面(41)をほぼ均一に発光させることが困難となる。
そこで、面光源発光装置(10)における平面形状の長手方向に垂直な断面が、トップビューＬＥＤ(20)に接する面である場合、その断面にはトップビューＬＥＤ(20)が一つしか存在しないようにトップビューＬＥＤ(20)を配置することとした。
【００１７】
（第二の発明）
第二の発明は、第一の発明を採用した遊技機に係る。
すなわち、  発光する側の面を反射面(13)とした反射板(12)と、  その反射板(12)における反射面(13)の端部付近において反射面(13)側へ発光部を位置させるとともに当該反射面(13)に対して軸方向が垂直となるように配置固定された少なくとも一のトップビューＬＥＤ(20)と、  そのトップビューＬＥＤ(20)の出射光の前方側に配置して前記出射光(L)を反射させて拡散する庇部(31)を有する光拡散用部材(30)と、  その光拡散用部材(30)の外側に配置してトップビューＬＥＤ(20)の出射光の一部を内側面たる半反射面(41A)にて反射させるとともに前記の出射光の一部を透過させることで外側面たる発光面(41)を面発光させるトップカバー(40)と、を備えた面光源発光装置(10)を採用した遊技機に係る。
前記の面光源発光装置(10)における庇部(31)は、前記の反射面(13)の端部側における出射光の方向へ立ち上がる内端面(30A)と、その内端面(30A)に対して鈍角をなすとともに前記のトップビューＬＥＤ(20)の上方を覆う庇第一反射面(31A)と、その庇第一反射面(31A)に対して鈍角をなす庇第二反射面(31B)とを備えるとともに、  その庇部(31)における前記の内端面(30A)とは反対側の端部および前記トップカバー(40)の間に庇第三反射面(31C)を備える。
【００１８】
「基台(11)に対して垂直な断面において面対称となる位置」とは、図示した場合の紙面垂直方向でそろっている必要はない（図１１を参照）。
【００１９】
（第二の発明のバリエーション１）
第二の発明は、以下のようなバリエーションを提供することもできる。
すなわち、前記の反射板(12)における反射面(13)と前記のトップカバー(40)における半反射面(41A)との距離(T)が所定長さよりも短い場合には、  面光源発光装置(10)における平面形状の長手方向に垂直な断面が、トップビューＬＥＤ(20)に接する面である場合、その断面にはトップビューＬＥＤ(20)が一つしか存在しないようにトップビューＬＥＤ(20)を配置する。
【発明の効果】
【００２０】
第一の発明によれば、トップビューＬＥＤを用いて、厚さ方向の寸法をできる限り抑えつつ、均一な発光装飾を実現する面光源発光装置を提供することができた。
第二の発明によれば、トップビューＬＥＤを用いて、厚さ方向の寸法をできる限り抑えつつ、均一な発光装飾を実現する遊技機を提供することができた。
【図面の簡単な説明】
【００２１】
【図１】本発明の実施形態の面光源発光装置を示す断面図である。
【図２】図１の面光源発光装置における部分的な拡大断面図である。
【図３】光拡散用部材を示す実施例である。図３（ａ）は光拡散用部材の斜視図で、図３（ｂ）は光拡散用部材の発光面から視た平面図で、図３（ｃ）は光拡散用部材の発光面に対して裏側から視た平面図である。
【図４】光拡散用部材を示す他の実施例である。図４（ａ）は光拡散用部材の斜視図で、図４（ｂ）は光拡散用部材の発光面から視た平面図で、図４（ｃ）は光拡散用部材の発光面に対して裏側から視た平面図である。
【図５】光拡散用部材を示す他の実施例である。図５（ａ）は光拡散用部材の斜視図で、図５（ｂ）は光拡散用部材の発光面から視た平面図で、図５（ｃ）は光拡散用部材の発光面に対して裏側から視た平面図である。
【図６】光拡散用部材を示す他の実施例である。図６（ａ）は光拡散用部材の斜視図で、図６（ｂ）は光拡散用部材の発光面から視た平面図で、図６（ｃ）は光拡散用部材の発光面に対して裏側から視た平面図である。
【図７】光拡散用部材を示す他の実施例である。図７（ａ）は光拡散用部材の斜視図で、図７（ｂ）は光拡散用部材の発光面から視た平面図で、図７（ｃ）は光拡散用部材の発光面に対して裏側から視た平面図である。
【図８】光拡散用部材を示す他の実施例である。図８（ａ）は光拡散用部材の斜視図で、図８（ｂ）は光拡散用部材の発光面から視た平面図で、図８（ｃ）は光拡散用部材の発光面に対して裏側から視た平面図である。
【図９】光拡散用部材を示す他の実施例である。図９（ａ）は光拡散用部材の斜視図で、図９（ｂ）は光拡散用部材の発光面から視た平面図で、図９（ｃ）は光拡散用部材の発光面に対して裏側から視た平面図である。
【図１０】光拡散用部材を示す他の実施例である。図１０（ａ）は光拡散用部材の斜視図で、図１０（ｂ）は光拡散用部材の発光面から視た平面図で、図１０（ｃ）は光拡散用部材の発光面に対して裏側から視た平面図である。
【図１１】遊技機用発光装置の主要部を示す図である。
【図１２】遊技機用発光装置の主要部を示す図である。
【図１３】図１および図２に示した実施形態を用いて三日月型の発光装置を形成する場合の光拡散用部材の平面配置を示す図である。
【図１４】図１および図２に示した実施形態のバリエーションを示す図である。
【発明を実施するための形態】
【００２２】
以下、本発明の実施形態について図面を参照して説明する。ここで用いる図面は、図１から図１４である。
説明の便宜上、図面を用いた説明において「上下左右」という方向を記載する場合があるが、その方向が本願発明の範囲を限定するものではない。
【００２３】
本実施形態に係る面光源発光装置１０は、図１および図２に示すように、  基台１１と、その基台１１に支えられて発光する側の面を反射面１３とした反射板１２と、  その反射板１２における反射面１３の端部付近において反射面１３側へ発光部を位置させるとともに当該反射面１３に対して軸方向が垂直となるように配置固定された複数の（図１，２には現れていない）トップビューＬＥＤ２０と、  そのトップビューＬＥＤ２０の出射光の前方側に配置して前記出射光を反射させて拡散する庇部３１を有する光拡散用部材３０と、  その光拡散用部材３０の外側に配置してトップビューＬＥＤ２０の出射光の一部を内側面たる半反射面４１Ａにて反射させるとともに前記の出射光の一部を透過させることで外側面たる発光面４１を面発光させるトップカバー４０と、を備える。
ここにおける反射板１２は、電子部品としてのプリント配線基板を兼ねている。
【００２４】
前記の庇部３１は、前記の反射面１３の端部側における出射光の方向へ立ち上がる内端面３０Ａと、その内端面３０Ａに対して鈍角をなすとともに前記のトップビューＬＥＤ２０の上方を覆う庇第一反射面３１Ａと、その庇第一反射面３１Ａに対して鈍角をなす庇第二反射面３１Ｂとを備えるとともに、  その庇部３１における前記の内端面３０Ａとは反対側の端部および前記トップカバー４０の間に庇第三反射面３１Ｃを備える。
【００２５】
「光拡散用部材３０」は、その部材の厚さが薄い部位では透光性のある材質（具体的には後述）を使用している。主として庇部３１によって拡散光を生じさせるが、部材厚さが変化することによっても拡散光を変化させることができる。例えば、光拡散用部材３０の内部を透過する光が、光拡散用部材３１の端面へ出射する角度によって全反射したり、あるいは屈折する角度が変化したりすることになる。
【００２６】
上記の光拡散用部材３０は、高反射グレードのポリカーボネイト（酸化チタンを含有させて反射率を向上させたポリカーボネイト）を採用する。代表的には、液晶用のバックライトのフレーム、ＬＥＤ照明のリフレクタに採用されている。
【００２７】
図１および図２に示す実施形態では、内端面３０Ａ、庇第一反射面３１Ａ、および庇第二反射面３１Ｂは、それぞれを平面として形成している。しかし、隣り合う面との境を連続させることで、内端面３０Ａ、庇第一反射面３１Ａ、および庇第二反射面３１Ｂを湾曲した面に形成してもよい。
【００２８】
内端面３０Ａにおける立ち上がり寸法（図２における「H」）は、トップビューＬＥＤ２０と他の部品との間隔寸法が定められている場合がある。この立ち上がり寸法Ｈは、トップビューＬＥＤ２０の種類や出力に応じて異なる。
【００２９】
図２に示す反射面１３と半反射面４１Ａとの距離＝Ｔは、本実施形態に係る面光源発光装置１０を組み込む装置（遊技機の盤面など）における他の部品との関係で、できる限り小さい寸法となることが望ましい。図１および図２に示す実施形態は、Ｔを極めて小さくすることができる構造となっている。
【００３０】
図１に示す実施形態では、光拡散用部材３０におけるトップビューＬＥＤ２０の反対側は、反射面１３から半反射面４１Ａに向かって先細りとなる傾斜部３３となっている。  ただし、面光源発光装置１０における幅方向（図中の左右方向）の寸法が小さい場合、トップビューＬＥＤ２０の出射光の出力が大きい場合、ＴやＨが小さい場合、などの条件による。
【００３１】
以下、図１および図２に示す実施形態の作用について説明する。
トップビューＬＥＤ２０の出射光のほとんどは、前方側の光拡散用部材３０における庇部３１の庇第一反射面３１Ａに対して反射する。その反射光は、反射板１２の反射面１３へ向かい、その反射面１３にて反射されてトップカバー４０の方向へ向かう。
トップカバー４０を透過した光は、トップカバー４０の発光面４１を面発光させる。透過しなかった光は、半反射面４１Ａにおいて反射され、庇第三反射面３１Ｃや反射板１２の反射面１３に反射されてトップカバー４０に向かう。そして、その一部は透過して発光面４１を面発光させ、透過しなかった光は、半反射面４１Ａにおいて反射される。
【００３２】
トップビューＬＥＤ２０の近傍における反射面１３にて反射された光は、庇第一反射面３１Ａや庇第二反射面３１Ｂにて反射され、一部が透過する。
こうした反射や透過が瞬時に繰り返され、トップカバー４０の発光面４１は、ほぼ均一に発光される。すなわち、発光斑が目立たないほぼ均一な面発光を実現できる。
【００３３】
以上のことから、本実施形態の面光源発光装置１０は、バリエーションが豊富なトップビューＬＥＤ２０を用いてトップカバー４０の発光面４１によって、発光斑が目立たないほぼ均一な面発光を実現できる。
【００３４】
図３〜図１０は、上記の光拡散用部材３０の様々な形状を示すものである。例えば遊技機の表面を種々の発光色にて面発光するための光拡散用部材３０の例である。
図３を代表例として詳しく説明すると、図３（ａ）は光拡散用部材３０Ｆの斜視図を示しており、図３（ｂ）は光拡散用部材３０Ｆの発光面３１Ｆから視た平面図である。その発光面３１Ｆは、ホーニング加工により艶消しとしたシボ加工である。そのシボ加工によって発光面３１Ｆから発光する光は、よりいっそう拡散されることとなり、発光斑が目立たないほぼ均一な面発光となる。図３（ｃ）は光拡散用部材３０Ｆの発光面３１Ｆに対して裏側から視た平面図である。そのクロスハッチングした部分は、その内面のすべてが鏡面磨きの状態である。その鏡面磨きエリアが８か所となっている。
【００３５】
上記の８か所の鏡面磨きエリア３２Ｆの位置へ、それぞれ一つずつのトップビューＬＥＤ２０と、その出射光の前方側に庇部３１を備える。その構成と作用は、前述した図１および図２の場合と同様である。その結果、バリエーションが豊富なトップビューＬＥＤ２０を用いて、図３の光拡散用部材３０Ｆの発光面３１Ｆからトップカバー４０を照射し、その発光面４１において発光斑が目立たないほぼ均一な面発光を実現できる。
【００３６】
図４〜図１０の他の光拡散用部材３０Ｇ，３０Ｈ，３０Ｉ，３０Ｊ，３０Ｋ，３０Ｌ，３０Ｍも、順に対応して発光面３１Ｇ，３１Ｈ，３１Ｉ，３１Ｊ，３１Ｋ，３１Ｌ，３１Ｍを有している。また、それぞれの裏側のクロスハッチングした部分は、その内面のすべてが鏡面磨きの状態である。すなわち、順に対応して鏡面磨きエリア３２Ｇ，３２Ｈ，３２Ｉ，３２Ｊ，３２Ｋ，３２Ｌ，３２Ｍとなっている。
【００３７】
上述した図３の光拡散用部材３０Ｆと同様にして、上記の各鏡面磨きエリア３２Ｇ，３２Ｈ，３２Ｉ，３２Ｊ，３２Ｋ，３２Ｌ，３２Ｍの位置へ、それぞれ複数個のトップビューＬＥＤ２０と、その出射光の前方側に庇部３１を備える。その構成と作用は前述した図１および図２の場合と同様である。その結果、バリエーションが豊富なトップビューＬＥＤ２０を用いて、各光拡散用部材３０Ｇ，３０Ｈ，３０Ｉ，３０Ｊ，３０Ｋ，３０Ｌ，３０Ｍにおいて順に対応する３１Ｇ，３１Ｈ，３１Ｉ，３１Ｊ，３１Ｋ，３１Ｌ，３１Ｍからトップカバー４０を照射し、その発光面４１において発光斑が目立たないほぼ均一な面発光を実現できる。
【００３８】
図１１に示すのは、パチンコ機やスロットマシンなどの遊技機の盤面に固定して装飾するための遊技機用発光装置である。  図１１（ａ）にて平面図を示しているが、トップカバー４０の全体が三日月型をなしている。
図１１（ｂ）に示しているように、トップビューＬＥＤ２０の配置は、図の上下方向を基準線とした場合に左右対称とはなっていない。
【００３９】
図１２に示すのも、パチンコ機やスロットマシンなどの遊技機の盤面に固定して装飾するための遊技機用発光装置であり、こちらは六面図にて示している。
【００４０】
図１３に示すのは、図１および図２に示した実施形態を、三日月型の面発光装置として用いる場合の光拡散用部材３０の配置を示したものである。図１に図示したように、庇部３１と傾斜部３３とは相対しない位置へ配置されている。
【００４１】
図１４は、図１および図２に示した実施形態のバリエーションである。図１および図２に示した実施形態との相違点は、図１４中のＴ２が、図２に示したＴよりも大きな寸法であり、幅方向寸法も大きい。
この図１４に示す実施形態では、庇部３１の上端は、幅方向の端部のみがトップカバー４０の半反射面４１Ａと接するのみであり、庇部３１は、トップビューＬＥＤ２０の上方を囲うように覆っている。
庇部３１は、中央に向かって下方傾斜しており、その半反射面４１Ａ側は、庇第三反射面３１Ｃ、庇第四反射面３１Ｄおよび庇第五反射面３１Ｅと連続している。このような形状をなすのも、トップカバー４０の発光面４１を、ほぼ均一に発光させるためである。
【００４２】
前述してきた実施形態においては、無発光のエリアが全く存在しないという導光板を実現できた。本願発明以前は、無発光のエリアが全く存在しないという導光板を実現していない。
【産業上の利用可能性】
【００４３】
本発明は、電装の製造業、電装を用いた各機器の製造業（例えば遊技機の製造業）などにおいて利用可能性を有する。
【符号の説明】
【００４４】
１０；面光源発光装置                    １１；基台
１２；反射板                            １３；反射面
２０  トップビューＬＥＤ
３０  光拡散用部材                      ３０Ａ；内端面
３０Ｆ，３０Ｇ，３０Ｈ，３０Ｉ，３０Ｊ，３０Ｋ，３０Ｌ，３０Ｍ；光拡散用部材
３１  庇部                              ３１Ａ；庇第一反射面
３１Ｂ；庇第二反射面                    ３１Ｃ；庇第三反射面
３１Ｄ；庇第四反射面                    ３１Ｅ；庇第五反射面
３１Ｆ，３１Ｇ，３１Ｈ，３１Ｉ，３１Ｊ，３１Ｋ，３１Ｌ，３１Ｍ；発光面
３２  ；鏡面磨きエリア
３２Ｆ，３２Ｇ，３２Ｈ，３２Ｉ，３２Ｊ，３２Ｋ，３２Ｌ，３２Ｍ；鏡面磨きエリア
３３  ；傾斜部
４０  トップカバー
４１  ；発光面                          ４１Ａ；半反射面
Ｔ，Ｔ２  ；内部空間厚さ寸法
Ｈ  ；立ち上がり寸法
【図１】
2015019824.tif 000003
【図２】
2015019824.tif 000004
【図３】
2015019824.tif 000005
【図４】
2015019824.tif 000006
【図５】
2015019824.tif 000007
【図６】
2015019824.tif 000008
【図７】
2015019824.tif 000009
【図８】
2015019824.tif 000010
【図９】
2015019824.tif 000011
【図１０】
2015019824.tif 000012
【図１１】
2015019824.tif 000013
【図１２】
2015019824.tif 000014
【図１３】
2015019824.tif 000015
【図１４】
2015019824.tif 000016